(57)【要約】【課題】聞き漏らした音声を過去数分間程度遡って再生できる携帯型ボイスリピータを実現する。【解決手段】音声をアナログ信号に変換する集音器と、アナログ信号をディジタル信号に変換して記録するとともに、再生指示を受けた時記録内容を再度アナログ信号に変換して出力するボイスレコーダＩＣチップと、ボイスレコーダＩＣチップの出力を音声に変換する音声再生器と、ボイスレコーダＩＣチップに再生指示を与える再生ボタンと、ボイスレコーダＩＣチップに電源を供給する電池電源と、これらを収納する、身体に装着若しくは付帯可能なパッケージとを具備し、常に過去の一定時間の音情報のみを記録しておき、再生ボタンが押されたとき、記録された一定時間の過去の音情報を再生する。【選択図】      図１
2005181510.tif 000002
【特許請求の範囲】
【請求項１】
音声をアナログ信号に変換する集音器と、
前記アナログ信号をデジタル信号に変換して記録するとともに、再生指示を受けた時記録内容を再度アナログ信号に変換して出力するボイスレコーダＩＣチップと、
前記ボイスレコーダＩＣチップの出力を音声に変換する音声再生器と、
前記ボイスレコーダＩＣチップに前記再生指示を与える再生ボタンと、
前記ボイスレコーダＩＣチップに電源を供給する電池電源と、
前記集音器、ボイスレコーダＩＣチップ、音声再生器、再生ボタン、電池電源を収納する、身体に装着若しくは付帯可能なパッケージと、
を具備し、
前記ボイスレコーダＩＣチップは、前記アナログ信号をデジタル信号に変換して出力するＡＤ変換部と、前記デジタル信号をアナログ信号に再変換して出力するＤＡ変換部と、前記ＡＤ変換部と前記ＤＡ変換部の間に介在し前記再生ボタンからの再生指示を受けるメモリコントローラと、前記メモリコントローラに接続され、循環的に上書を繰り返しながら前記ＡＤ変換部からの前記デジタル信号を最新の一定量記録するメモリとを具備し、
前記メモリコントローラは、前記電源の投入と同時に前記メモリへの記録を開始し、前記再生ボタンが押された時、前記メモリへの記録を中断し、前記メモリに記録された前記一定量の前記デジタル信号を読み出して前記ＤＡ変換部に送出することを特徴とするＩＣボイスリピータ。
【請求項２】
音声をアナログ信号に変換する集音器と、
前記アナログ信号をデジタル信号に変換して記録するとともに、再生指示を受けた時記録内容を再度アナログ信号に変換して出力するボイスレコーダＩＣチップと、
前記ボイスレコーダＩＣチップの出力を音声に変換する音声再生器と、
前記メモリコントローラに接続された録音ボタンと、
前記ボイスレコーダＩＣチップに前記再生指示を与える再生ボタンと、
前記ボイスレコーダＩＣチップに電源を供給する電池電源と、
前記集音器、ボイスレコーダＩＣチップ、音声再生器、録音ボタン、再生ボタン、電池電源をを収納する、身体に装着若しくは付帯可能なパッケージと、
を具備し、
前記ボイスレコーダＩＣチップは、前記アナログ信号をデジタル信号に変換して出力するＡＤ変換部と、前記デジタル信号をアナログ信号に再変換して出力するＤＡ変換部と、前記ＡＤ変換部と前記ＤＡ変換部の間に介在し前記再生ボタンからの再生指示を受けるメモリコントローラと、前記メモリコントローラに接続された第１と第２のメモリとを具備し、
前記メモリコントローラは、前記電源の投入と同時に前記第１のメモリに循環的に上書を繰り返しながら前記ＡＤ変換部からの前記デジタル信号を最新の一定量記録させ、前記録音ボタンが投入された時、前記第１のメモリにその時点の前記第１のメモリの記録内容を保存させるとともに、前記第２のメモリに循環的に前記ＡＤ変換部からの前記デジタル信号を最新の一定量記憶させ、前記再生ボタンが投入された時、前記第１のメモリに保存された前記一定量の前記デジタル信号を読み出して前記ＤＡ変換部に送出することを特徴とするＩＣボイスリピータ。
【請求項３】
前記パッケージは第１及び第２のサブパッケージからなり、前記電池電源は第１及び第２の電池からなり、前記ボイスレコーダＩＣチップは第１および第２のサブＩＣチップからなり、
前記第１のサブパッケージには前記ＡＤ変換部、メモリコントローラ、前記第１及び第２のメモリ、無線発信部を含む前記第１のサブＩＣチップと、前記集音器、前記第１の電池とが収納され、
前記第２のサブパッケージには前記ＤＡ変換部を含む第２のサブＩＣチップと無線受信部、前記音声再生器、前記第２の電池とが収納され、
前記メモリコントローラと前記ＤＡ変換部との間が、前記無線発信部及び無線受信部を通じて無線で結ばれていることを特徴とする請求項２に記載のＩＣボイスリピータ。
【請求項４】
音声をアナログ信号に変換する集音器と、
前記アナログ信号をディジタル信号に変換して記録するとともに、再生指示を受けた時記録内容を再度アナログ信号に変換して出力するボイスレコーダＩＣチップと、
前記ボイスレコーダＩＣチップの出力を音声に変換する音声再生器と、
前記メモリコントローラに接続された録音ボタンと、
前記ボイスレコーダＩＣチップに前記再生指示を与える再生ボタンと、
前記メモリコントローラに接続されたメモリセレクトボタンと、
前記ボイスレコーダＩＣチップに電源を供給する電池電源と、
前記集音器、ボイスレコーダＩＣチップ、音声再生器、再生ボタン、電池電源をを収納する、身体に装着若しくは付帯可能なパッケージと、
を具備し、
前記ボイスレコーダＩＣチップは、前記アナログ信号をデジタル信号に変換して出力するＡＤ変換部と、前記デジタル信号をアナログ信号に再変換して出力するＤＡ変換部と、前記ＡＤ変換部と前記ＤＡ変換部の間に介在し前記再生ボタンからの再生指示を受けるメモリコントローラと、前記メモリコントローラに接続され、夫々が複数のメモリブロックを有する第１と第２のメモリとを具備し、
前記メモリコントローラは、前記電源の投入と同時に前記第１のメモリに循環的に上書を繰り返しながら前記ＡＤ変換器からの前記デジタル信号を最新の一定量記憶させ、前記録音ボタンが最初に押された時、その時点の前記第１のメモリの第１の記憶内容を前記第２のメモリの第１のブロックに移して保存させ、前記録音ボタンが順次押されてｎ回目に押された時、その時点の前記第１のメモリの第ｎの記憶内容を前記第２のメモリの第ｎのメモリブロックに移して保存させ、
前記第２のＩＣメモリに保存させたい記憶内容の量が、前記第２のＩＣメモリのメモリ容量を超えた場合には、前記第２のメモリの前記第１のメモリブロックから順次上書きしながら、前記第ｎ回の記憶内容を前記第２のＩＣメモリに保存させ、
前記メモリブロックセレクトボタンで前記第２のＩＣメモリ中の再生させたいメモリブロックが指定され、前記再生ボタンが押された場合には、前記再生させたいメモリブロックに記憶された前記デジタル信号が読み出されて前記ＤＡ変換部に送出され、
前記メモリブロックセレクトボタンが押される度に、前記再生させたいメモリブロックに記憶された記憶内容より古い記憶内容が順次溯りながら前記ＤＡ変換部に送出されることを特徴とするＩＣボイスリピータ。
【請求項５】
音声をアナログ信号に変換する集音器と、
前記アナログ信号をディジタル信号に変換して記録するとともに、送信指示を受けた時記録内容を出力するボイスレコーダＩＣチップと、
前記メモリコントローラに接続された録音ボタンと、
前記ボイスレコーダＩＣチップに前記送信指示を与える送信ボタンと、
前記ボイスレコーダＩＣチップに電源を供給する電池電源と、
前記集音器、ボイスレコーダＩＣチップ、録音ボタン、送信ボタン、電池電源をを収納する、身体に装着若しくは付帯可能なパッケージと、
を具備し、
前記ボイスレコーダＩＣチップは、前記アナログ信号をディジタル信号に変換して出力するＡＤ変換部と、前記ＡＤ変換部に接続され前記録音ボタンからの録音指示を受けるメモリコントローラと、前記メモリコントローラに接続された内部メモリと、前記メモリコントローラに接続され、前記送信ボタンからの指示を受けて前記内部メモリのデータを選択的に記憶する送信データ記憶用メモリと、無線送信部とを具備し、
前記メモリコントローラは、前記電源の投入と同時に前記内部メモリに循環的に上書を繰り返しながら前記ＡＤ変換部からの前記デジタル信号を最新の一定量を記録させ、前記録音ボタンが押された時、前記内部ＩＣメモリにその時点の前記内部ＩＣメモリの記録内容を保存させるとともに、前記送信データ記憶用メモリに前記内部メモリの前記デジタル信号を移送し、前記送信ボタン押された時、前記送信データ記憶用メモリに記録された前記デジタル信号を、無線受信部を有する外部機器の内蔵メモリに、前記無線送信部を通じて送出することを特徴とするＩＣボイスリピータ。
【発明の詳細な説明】
【技術分野】
【０００１】
本発明は、過去に遡った音情報の再現を可能にするＩＣボイスリピータに関するものであり、特に録音時間を数分間とし身体に装着可能または付帯可能とした小型ボイスリピータに関する。
【背景技術】
【０００２】
日常生活において、駅構内のアナウンスなどを聞き漏らし、再度最初から聞きたい場合がある。このような場合に、過去に遡って録音できるボイスレコーダがあれば便利である。
【０００３】
過去に遡って録音できるレコーダとしては、例えば特許文献１がある。この文献には、実時間で流れている画像を、直前の短い過去に戻って短時間ですぐに見ることができ、また既に経過してしまった画像を過去に戻って簡単に記憶することができる画像記録再生装置が開示されている。この装置は、画像メモリを有し過去の画像情報を出力する過去画像出力部と、現在の入力画像情報と過去の画像情報を切り替えて表示装置に出力する切替部と、切替部に切替指示を出す選択操作部とを有する構成となっている。記録装置としては、例えばＶＴＲが使用され、表示装置を備えた据置き型として考えられたものである。しかしながら、対象を音声だけに絞り、かつ身体に装着または付帯できる程度に小型化したものは考えられていなかった。
【０００４】
一方、従来から携帯に便利な録音機としてＩＣボイスレコーダがある。ＩＣボイスレコーダはフラッシュメモリ等の不揮発性メモリを用いて音の録音を行なっているが、過去分を録音するためには、予め事前に録音状態にしておく必要がある。ＩＣボイスレコーダは不揮発性メモリ（FLASH EEPROM）に書き込むため消費電力が大きく、近年消費電力削減の努力がなされているが、電池の寿命は録音時５０時間程度であった。
【０００５】
図１９に従来のＩＣボイスレコーダ１のシステム図を示す。録音ボタン１０が押された場合、外部の音はマイクロフォン２で電圧信号に変換される。その電圧信号はＡ／Ｄ変換器３にて、音質に仕様に応じて１０ｎｓ〜１００ｎｓ毎にアナログ信号からデジタル信号に変換されて、データ圧縮回路４に送られる。
【０００６】
データ圧縮回路４では、前記デジタル信号のデータをＭＰ３のようなファイル構造に変換して、音質をあまり落とさずにデータを１０倍程度圧縮する。この圧縮データはメモリコントローラ５に送られる。
【０００７】
メモリコントローラ５では、送られてきたデータをメモリ（FLASH EEPROM）９に下位アドレスから順に書き込んで行く。以上の動作は録音ボタンが解除されるまで続けられる。
【０００８】
次に、再生ボタン１１が押されると、メモリコントローラ５はメモリ９に下位アドレスのデータから順にデータを要求し、受け取ったデータをデータ解凍回路６に送る。ここで圧縮されたデータが解凍されて、通常のデータに戻され、Ｄ／Ａ変換器７に送られる。
【０００９】
Ｄ／Ａ変換器７では、デジタル信号がアナログ信号に変換され、スピーカ８を駆動して音を再現する。この動作は再生ボタン１１が解除されるまで続けられる。なお、メモリコントローラ５にはＣＰＵが用いられることが多く、データ圧縮回路４やデータ解凍回路６の機能を兼務することが多い。参照番号１２は、システムの電源である電池を表わす。なお、上記以外にマイクとのインターフェース回路としてのアンプや、スピーカ駆動用のインターフェース回路が使用されることが多いが、説明を簡略化するために省略する。このように、従来のＩＣボイスレコーダには、過去に遡って録音できる機能は備えられていない。
【特許文献１】特開平１１−０２７６１３号公報
【発明の開示】
【発明が解決しようとする課題】
【００１０】
上記のように、従来のＩＣボイスレコーダでは過去に遡って音を録音することは不可能であった。ＩＣボイスレコーダで常時録音させておこうとすると、メモリ容量やバッテリ容量に制限があるので、一定時間以前の録音は自動消滅させる必要がある。また、携帯性を考慮して更に小型で低消費電力とする必要がある。
【００１１】
本発明は上記事情に鑑みてなされたものであり、短時間の過去分の録音が可能で、携帯性に優れ低消費電力のＩＣボイスリピータを提供することを目的とする。
【課題を解決するための手段】
【００１２】
本発明のＩＣボイスリピータは、音声をアナログ信号に変換する集音器と、アナログ信号をディジタル信号に変換して記録するとともに、再生指示を受けた時記録内容を再度アナログ信号に変換して出力するボイスレコーダＩＣチップと、ボイスレコーダＩＣチップの出力を音声に変換する音声再生器と、ボイスレコーダＩＣチップに再生指示を与える再生ボタンと、ボイスレコーダＩＣチップに電源を供給する電池電源と、集音器、ボイスレコーダＩＣチップ、音声再生器、再生ボタン、電池電源を収納する、身体に装着若しくは付帯可能なパッケージとを具備し、ボイスレコーダＩＣチップは、アナログ信号をデジタル信号に変換して出力するＡＤ変換部と、デジタル信号をアナログ信号に再変換して出力するＤＡ変換部と、ＡＤ変換部とＤＡ変換部の間に介在し再生ボタンからの再生指示を受けるメモリコントローラと、メモリコントローラに接続され、循環的に上書を繰り返しながらＡＤ変換部からのデジタル信号を最新の一定量記録するメモリとを具備し、メモリコントローラは、電源の投入と同時に前記メモリへの記録を開始し、再生ボタンが押された時、メモリへの記録を中断し、メモリに記録された一定量の前記デジタル信号を読み出してＤＡ変換部に送出することを特徴とする。
【発明の効果】
【００１３】
上記の構成により、ＩＣボイスリピータは再生若しくは録音ボタンを押す前の音を記録し保存することができるので、緊急情報の録音漏れを無くすことができる。また、記録媒体に比較的小記憶容量の半導体メモリを用いるので、消費電流を小さくできる。半導体メモリとしては揮発性メモリのＳＲＡＭやＤＲＡＭが使用できるが、ＤＲＡＭを用いた場合には、ＳＲＡＭに比べＬＳＩを小型化でき、製造コストを安価とすることができる。身体に装着若しくは付帯できるパッケージを使用するので、携帯に便利である。録音部と再生部を分離すれば、個々の機器をさらに小型化できる上、再生中の音をマイクが拾わなくなる。
【発明を実施するための最良の形態】
【００１４】
（第１の実施形態）
図１は、本発明の第１の実施形態に係るＩＣボイスリピータのシステム図である。外部の音はマイクロフォン（集音器）２で電圧信号に変換され、ボイスレコーダＩＣチップ２１の中のＡ／Ｄ変換器３に送られ、ここでアナログ信号がデジタル信号に変換される。デジタル信号はメモリコントローラ５に送られる。
【００１５】
メモリコントローラ５は送られてきたデジタル信号のデータを揮発性メモリ２２の下位アドレスから順に書き込んで行く。最上位アドレスまで全部書き込んだ後は、再度下位アドレスから書き込んで行く。このように常に新しいデータが記憶されて行く。
【００１６】
本実施形態のボイスリピータは、音声を数分間程度録音することを想定しており、メモリサイズとしては、１６〜３２Ｍｂｉｔで充分である。因みに、音のサンプリング周波数２０ＫＨｚ、８ｂｉｔ解像度、２分間録音で１９Ｍｂｉｔ程度が必要とされる。このように想定しているため、従来のボイスレコーダ（図１９）で用いられているデータ圧縮回路４や、解凍回路６は使用していない。
【００１７】
本実施形態のＩＣボイスリピータは、録音データの再生が予測される場合は、図示しない電源スイッチをオンさせて常に録音状態にしておくものとする。電源スイッチを省略して、常に電源が入っている状態にしてもよい。
【００１８】
ここで、あるアナウンスに気づき、録音結果を聞きたい状況が発生したとする。その時には、再生ボタンが押され、その信号はメモリコントローラ５に伝えられる。メモリコントローラ５は揮発性メモリ２２に書き込むのを中止し、書き込もうとしていたアドレスからデータを取り出しＤ／Ａ変換器７にデータを送る。Ｄ／Ａ変換器７ではデジタルデータ信号をアナログ信号に変換して、スピーカ（音声再生器）８に送って音に変換する。
【００１９】
メモリコントローラ５は揮発性メモリ２２に書き込んであったものと同じ周期（時間間隔）で、揮発性メモリ２２の１カウントアップしたアドレスから次々にデータをもらい、Ｄ／Ａ変換器７にデータを送って、アナログ信号に変換するので、録音した音が再生される。
【００２０】
アドレスは最上位アドレスに到ると、０アドレスに戻ってカウントアップしていき、再生を開始したアドレスの１つ手前のアドレスが最後の音になり、さらにアドレスカウントアップして、２回目の再生に入る。聞き終わって再生ボタン１１を解除すると、その信号がメモリコントローラ５に伝わり、再び録音モードに入ってＡ／Ｄ信号を貰って揮発性メモリ２２に書き込みが始まる。
【００２１】
Ａ／Ｄ変換器３、メモリコントローラ５、揮発性メモリ２２及びＤ／Ａ変換器７はボイスレコーダＩＣチップ２１に収められており、ボイスレコーダＩＣチップ２１、マイクロフォン２及びスピーカ８には電池１２から電源が供給されている。また、揮発性メモリ２２は、ＳＲＡＭであっても良いし、ＤＲＡＭであってもよい。
【００２２】
以上のシステムのパッケージの例を図２に示す。ペンダントのような形で中央にマイクロフォン２があり、下に再生ボタン１１が付いている。裏側にはスピーカ８が付いており、聞きたい時には耳元に持っていって聞くことができる。
【００２３】
また、システムの動作フローを図３に示す。電源を投入すると初期設定が行なわれ、揮発性メモリへの格納アドレスｎの”０”が書き込まれる。次に、再生ボタン１１が押されているかの確認が行なわれる。再生ボタン１１が押されていない場合には、マイクの音がＡ／Ｄ変換され、変換されたディジタルデータは揮発性メモリ２２の格納アドレスｎに格納される。
【００２４】
次に、格納アドレスｎは１つカウントアップされる。ｎが揮発性メモリ２２の最大アドレスを超えた場合にはｎは”０”にリセットされる。こうして次々と音が揮発性メモリ２２に格納されていき、揮発性メモリの中身はアドレスｎが１周する度に、新しいデータへと置き換わる。
【００２５】
そうしているうちに、再生ボタン１１がオンになると、揮発性メモリ２２のオンになった時の格納アドレスｎからデータ読み出しが行なわれ、データのＤ／Ａ変換が行なわれる。そのアナログ信号はスピーカに送られて、音の再生が行なわれる。
【００２６】
次に、ｎは１つカウントアップされて、次のデータを揮発性メモリ２２から読み出して、音に変換する。こうして、ｎは最大アドレスを超えると、”０”アドレスから再度読み出される。こうして再生ボタンが押された瞬間のｎ−１アドレスが最後の音になり、再びｎアドレスに戻って２回目の再生が行なわれる。こうして、再生ボタンが解除されるまで再生は続けられる。なお、本システムでは、音を再生中は録音は不可能である。
【００２７】
次に、ボイスレコーダＩＣチップ２１の内容について詳細に説明する。揮発性メモリ２２としてＳＲＡＭを用いた例を図４に示し、ＤＲＡＭを用いた例を図５に示す。ＳＲＡＭは消費電流が少ないという利点があるが、チップ面積が大きくなるという欠点がある。また、ＤＲＡＭはＳＲＡＭに比較してチップ面積が小さくなるという利点があるが、消費電流という面では、ＳＲＡＭに比べ大きくなるという欠点がある。但し、いずれの場合にも、FLASH EEPROM 等に比較すると消費電流は大幅に削減される。かつ、製造プロセスも簡単なため、低価格で作れる。
【００２８】
図４においては、Ａ／Ｄ変換器３が配置されＡＩＮ端子にマイクからのアナログ信号が入ってくる。Ａ／Ｄ変換器３にはＲＥＦ端子があり、そこにはアナログの基準電圧が供給される。マイクの音はこの基準電圧に比較して、どの位大きいかという形で答えが導き出される。
【００２９】
Ａ／Ｄ変換器３はＣＰＵ（メモリコントローラ）５に接続され、ＣＰＵ５のＩ／ＯからＳＴＣ端子にパルス信号をもらう。これがＡ／Ｄ変換スタートの指示となり、変換が行われ、答えがＤＢｎ端子から出力される。ＤＢｎ端子は複数端子から構成され、端子によってＭＳＢ（Most Significant Bit）からＬＳＢ（Least Significant Bit）までデータが並列に出力される。
【００３０】
ＣＰＵはＤＢｎ端子に出力されるタイミングに合わせてデータをＩ／Ｏ端子にて受け取り、そのデータをＳＲＡＭに送る。まずＳＲＡＭの格納アドレスを複数ある出力端子Ａｎを設定し、先程のデータを複数あるＤＡＴＡｎ端子に設定する。Ｃｏｎｔ端子の一部である、Ｒ／Ｗ端子を”０”にして書き込み指示を行なうと、そのタイミングでのデータがＳＲＡＭ２２に取り込まれる。
【００３１】
また、読み出し時には、ＣＰＵ５から読み出したいアドレスＡｎが設定され、Ｒ／Ｗ端子を”１”のままにしておくと、ＳＲＡＭ２２のＩ／Ｏ端子からデータが送出されてくる。ＣＰＵ５は、そのデータをＤＡＴｎ端子から取り込み、複数あるＩ／Ｏ端子にデータを出力する。そのＩ／Ｏ端子はＤ／Ａ変換器７のＤｎ端子に接続され、データがＤ／Ａ変換器７にて随時アナログ電圧に変換されＶｏｕｔ出力端子出力される。Ｄ／Ａ変換器７にはＲＥＦ入力端子があり、ここに基準電圧を入力すると、その基準電圧を基準として、デジタル値に応じたアナログ電圧が出力される。
【００３２】
なお、ＣＰＵ５にはタイマ（Timer）が内蔵されており、このタイマが出すタイミング信号に合わせて、Ａ／Ｄ変換の周期の指示を出してデータを取り込んだり、取り込んだと同じ周期でデータを送出して再生を行なっている。
【００３３】
この周期は周囲騒音等を見計らって、静かな時にはデータ取り込み周期を長めにしたりして、音声の判別できる範囲で、動作を緩慢にして消費電流の削減を図ることができる。また、静かな時は、例えば８ビットＤ／Ａ変換器を６ビットに変換精度を低下させて消費電流を低下させることも可能である。また、自分の声紋を登録可能にすれば、その声紋のみを消去した録音が可能で、その分、外部音声の識別能力が拡大する。
【００３４】
図５はＤＲＡＭを用いた例を示すが、ＳＲＡＭのＩ／Ｏ端子がＤＲＡＭではＤＱ端子に置き換わるだけなので、重複する動作説明は省略する。
【００３５】
第１の実施形態のＩＣボイスレコーダによれば、再生ボタンを押す前の数分間の音声データを記憶し再生することができるので、緊急情報の聞き落としを無くすことができる。また、記録媒体にＳＲＡＭやＤＲＡＭの揮発性半導体メモリを用いるので、消費電流を小さくできる。ＤＲＡＭを用いた場合には、ＬＳＩを小型化でき、製造コストを安価とすることができる。また、ペンダント型のパッケージを使用するので、携帯に便利である。
【００３６】
（第２の実施形態）
図６に本発明の第２の実施形態に係るＩＣボイスリピータのシステム図を示す。第１の実施形態では、再生したい場合にはその場で再生をする必要があったが、第２の実施形態では、再生したい部分を取りあえず記録しておき、後で再生を行なうことを可能としており、さらに音を再生中にも新しい音の録音が可能である。
【００３７】
図１に比べて、録音ボタン３４が追加されたのと、２つの揮発性メモリ３２，３３を備えていることが特徴となる。例えば、第１の揮発性メモリ３２に録音データを格納中に録音ボタンが押されると、第１の揮発性メモリ３２への書き込みを止めて、第２の揮発性メモリ３３への書き込みが行なわれる。第１の揮発性メモリの３２のデータはそのまま残っており、再生ボタン１１が押されると第１の揮発性メモリ３２に録音されたデータが再生される。再生ボタンが解除されても、録音データは第１の揮発性メモリ３２に残っているので、後で再度聞くことも可能である。
【００３８】
また、録音ボタン３４が再度押されると、今度は第２の揮発性メモリ３３への書き込みは止めて、第１の揮発性メモリ３２に書き込みが行なわれることになる。従って、古い録音データは第１の揮発性メモリから消えてしまうが、第２の揮発性メモリ３３に最後に指示を受けた録音データが残っている。その他は図１と同じであるので、説明を省略する。
【００３９】
第２の実施形態のＩＣボイスリピータのパッケージの第１の例を図７（ａ），（ｂ）に示す。ペンダントの表中央にマイクロフォン２があり、表下に録音ボタン３４が配置され、ペンダント裏中央にスピーカ８があり、上に再生ボタン１１が配置されている。
【００４０】
図７（ｃ）には、第２のパッケージ例を示す。ボールペン等の筆記用具に取り付けた例である。マイクロフォン２が下に配置され、録音ボタン３４が中央に、再生ボタン１１が上部付近に配置されている。一番上部にはスピーカが配置されている。こうすることにより、相手の話を書き取っていて、メモの記載スピードが追いつけない場合には、録音して急場をしのぐことが可能となる。スピーカを耳元に持っていくこともできるし、書きながら聞くこともできる。
【００４１】
図８に第２の実施形態のシステムの動作フローを示す。第２の実施形態では、メモリが２つあるので、動作は多少複雑になる。フローの左側が第１の揮発性メモリ３２の録音状態を示し、右側が第２の揮発性メモリ３３の録音状態を示す。
【００４２】
まず電源が投入されると、初期設定が行なわれる。第１の揮発性メモリ３２への格納アドレスをｎ１とし、第２の揮発性メモリ３３への格納アドレスをｎ２とする。これを両方ともアドレス”０”に初期設定する。またどちらの揮発性メモリに書き込みを行なうかを指示するフラッグをａとし、ａが”０”の場合、第１の揮発性メモリ３２に書き込みが行なわれ、“１”の場合に第２の揮発性メモリ３３に書き込みが行なわれるとする。このａを初期設定にて”０”に設定する。つまり第１の揮発性メモリ３２のアドレス”０”から書き込みが行なわれる。
【００４３】
まず録音ボタン状態がチェックされ、押されていなければａがチェックされる。ａが”０”であれば左側のフローをたどり、マイク音をＡ／Ｄ変換し、第１の揮発性メモリ３２のｎ１アドレスに格納され、ｎ１アドレスが１つカウントアップされる。
【００４４】
次に再生ボタン１１がチェックされ、オフであれば最初に戻る。オンであれば第２の揮発性メモリ３３のｎ２アドレスのデータを読み出し、データのＤ／Ａ変換を行なって音の再生を行い、ｎ２アドレスがカウントアップされて最初に戻る。このようにして第１の揮発性メモリ３２に録音データを格納しながら、第２の揮発性メモリ３３の録音データを再生することができる。
【００４５】
最初のステップに戻って、録音ボタン３４がＯＮになった場合を考える。この場合には、ａが”０”から”１”に反転、あるいは“１”から”０”に反転される。例えば、もともとａ＝“０”であった場合を考えると、ａ＝”１”になって、右側のフローに入り込む。後は先程の説明と同じであるので、説明を省略する。ｎ１、ｎ２アドレスが最大アドレスを超過した場合には”０”に戻るのは、第１の実施形態と同じである。
【００４６】
第２の実施形態によれば、第１の実施形態での効果に加え、再生したい部分を取り敢えず記録しておき、後で再生を行なうことが可能である。また、音を再生中にも新しい音の再生が可能である。
【００４７】
（第３の実施形態）
第２の実施形態ではスピーカ８とマイク２が同じパッケージに格納されていたので、再生中は再生音がマイク２に入り込んで聞き難くなる。第３の実施形態ではマイク格納部とスピーカ格納部を分離して、再生音の録音への影響を軽減するとともに、双方の小型化を図っている。
【００４８】
図９は第３の実施形態に係るＩＣボイスリピータのシステム構成図である。基本的には図６の第２の実施形態と同様であるが、パッケージを２つに分け、片方にマイクロフォン２、他方にスピーカ８を搭載するようにし、双方のパッケージを夫々に内蔵の無線送信部と無線受信部とを介してデータを移送できるようにしたものである。また、双方のパッケージに電池１２が搭載されている。第２の実施形態と同一箇所には同一番号を付して重複する説明を省略する。また、動作内容は第２の実施形態と同じなので説明を省略する。
【００４９】
なお、上記の無線部には、例えば bluetooth の技術を応用することができる。例えば、周波数２．４ＧＨｚ、通信速度１Ｍｂｐｓで通信距離１０ｍが確保されるので、本用途には充分な性能を有している。身体に装着する場合は、高々１ｍ程度の通信距離があれば良いので、無線ＩＣカードの無線技術（１３５ＫＨｚ〜６．７ＭＨｚ、１０ｋｂｐｓ）を応用することもできる。
【００５０】
第３の実施形態の動作フローを図１０に示す。基本的には第２の実施形態と同じなので、重複する説明を省略する。送信と受信のステップが追加されているだけである。
【００５１】
第３の実施形態に係るＩＣボイスリピータのパッケージの外観図を図１１に示す。イメージとしては、イアリングのような形をしており、図１１（ａ）に示すＩＣボイスレコーダ録音部４０の中央にスピーカ２が配置され、下に録音ボタン３４、上に再生ボタン１１が配置されている。図１１（ｂ）にはＩＣボイスレコーダ再生部４１が示されており、中央にスピーカ８が配置されている。
【００５２】
ここでは、ＩＣボイスレコーダ録音部をイアリングで示したが、筆記用具のようなものとしても良いし、ペンダントのような形にしてもよい。そうすると再生部のスピーカは両側の耳に付けられる。
【００５３】
第３の実施形態に依れば、第１の実施形態の効果に加え、再生中に再生音がマイクに入り込んで聞き難くなることがなくなり、かつ、個々のパッケージを更に小さくすることができる。
【００５４】
（第４の実施形態）
第２の実施形態あるいは第３の実施形態では、１回分の録音しか保存しておくことができなかったが、複数回分の録音を保存できると便利である。図１２に第４の実施形態として、複数回分の録音記録を保存可能なＩＣボイスリピータのシステム図を示す。
【００５５】
第４の実施形態では、再生時に再生録音を選択する保存用メモリのブロックセレクトボタン５４が追加され、揮発性メモリ２のメモリ容量が記録回数分大きくなっている。また、従来の第１の揮発性メモリと第２の揮発性メモリの役割も変わって、一時記憶用メモリ５２と保存メモリ用５３となっている。つまり一時記憶用メモリ５２に常に音の最新情報が格納され、録音ボタン３４が押される度に、その時一時記憶用メモリ５２に残っていたデータが、保存用メモリ５３に移されて保存される。保存用メモリ５３の容量を超える情報を格納したい場合には、最初に格納されたデータあるいはメモリブロックセレクトボタン５４で選択されたデータが消去される。
【００５６】
なお、第４の実施例では保存用メモリの容量が大きくなるので、従来のボイスレコーダ（図１９）において使用されていたデータ圧縮回路４、データ解凍回路６をメモリコントローラ５の前後に挿入している。例えばＭＰ３の圧縮回路を用いると、メモリサイズを約１／１０とすることができるので、保存用メモリ５３での消費電力の増大を抑えることができる。但し、保存用メモリ５３に保存するデータ量があまり多くない仕様の場合は、データ圧縮回路４、データ解凍回路６の搭載を省略することも可能なので、上記回路４，６は本実施形態に必須の回路ではない。
【００５７】
再生は保存用メモリ５３のブロックセレクトボタン５４によって指示された録音データが再生される。ブロックセレクトボタン５４を押すたびに別のブロックが選択されて、録音データが再生される。動作内容は、第２の実施形態、第３の実施形態とほぼ同様であるので、詳細説明は省略する。
【００５８】
図１３に第４の実施形態のシステムの動作フローを示す。動作フローは多少異なるので、簡単に説明する。先ず、電源が投入されると初期設定が行なわれる。初期設定の内容としては、暫定メモリの５２の格納アドレスｎがあり、これを”０”アドレスに設定する。また、保存用メモリブロック５３のどのメモリブロックに保存するかを示す保存メモリブロック信号ｋをメモリブロックの最大値に設定する。また、保存用メモリブロック５３のどのどのメモリブロックから再生するかを示す再生メモリブロックｌを“０”ブロックに初期設定する。また、再生メモリのどのアドレスからのデータを再生する示す再生メモリアドレスｍを”０”に初期設定する。
【００５９】
次に、録音ボタンの状態をチェックしてＯＦＦであればマイク音にＡ／Ｄ変換を行い、変換データを揮発性メモリで構成される一次記憶用メモリ５２のアドレスｎに格納し、アドレスｎを１つカウントアップする。ｎが最大値を超えた場合には”０”にセットする。
【００６０】
次に、再生ボタンの状態をチェックしてＯＦＦであれば最初のステップに戻る。こうして外部音をデジタル化して次々に一次記憶用メモリ５２に格納していく。ここで録音ボタン３４が押されたとすると、保存メモリブロックｋは１つカウントアップされて、ｋがメモリブロックの最大値を超えていれば”０”に戻る。
【００６１】
電源投入時にｋは最大値に初期設定されるので、保存用メモリブロック“０”から保存が行なわれる。次に、再生メモリブロックｌにｋの値が書き込まれるので、再生メモリは最新に書き込まれた保存用メモリブロックが選択される。またｍ＝”０”がセットされるので、再生メモリアドレスの最初から再生されることになる。
【００６２】
次に、一次記憶用メモリ５２のアドレスｎからアドレスｍａｘまでのデータが、保存用メモリ５３のブロックｋにて指定されたメモリブロックの下位アドレスから順に保存される。
【００６３】
次に、アドレス０からアドレスｎ−１までのデータが先程選択されたメモリブロックｋの上のアドレスに保存される。こうして一次記憶用メモリ５２に格納されていたデータを古いデータから順に整理した上で保存用メモリ５３に格納する。なお、これらのデータの移し替えは極めて高速に処理されるので、新しい音の録音処理に影響を与えることはない。次にまたマイク音のＡ／Ｄ変換ステップに入る。
【００６４】
こうした後に再生ボタンが押されると、再生メモリブロックｌにて指示されたメモリブロックの再生メモリアドレスｍのデータが持ち出され、再生される。次にｍは一つカウントアップされて、次の録音データがを持ち出す準備が行なわれる。ｍが最大値を超えた場合には”０”に戻り、ｌも１つカウントダウンされるので、１つ古い録音データが最初から再生される。
【００６５】
次に再生メモリセレクトボタン５４の状態がチェックされ、ボタンがオンであれば、ｌが１つカウントダウンされて、ｍが”０”アドレスに設定されるので、さらに古い録音記録の最初から再生が行なわれることになる。こうして最初に戻ってこのフローが繰り返されるので、再生データが次々と持ち出されて音の再生が行なわれる。
【００６６】
第４の実施形態に係るＩＣボイスリピータのパッケージの外観図を図１４に示す。メガネのようなイメージであるが、右耳フレーム先端にマイクロフォン２が取り付けられており、左耳フレーム先端にスピーカ８が取り付けられている。こうして、スピーカとマイクを多少離し、スピーカも耳の近くに配置して小さな音でも聞こえるようにしている。なお、スピーカ８の代わりにイヤホーンのような音声再生器を使用することもできる。
【００６７】
メガネの中央には保存用メモリのブロックセレクトボタン５４が配置され、右目レンズ上には録音ボタン３４、左眼レンズ上には再生ボタン１１が配置されている。ボイスレコーダＩＣチップ５１はマイク２の近くに配置されている（不図示）。
【００６８】
第４の実施形態に依れば、第１の実施形態の効果に加え、複数の録音データを時系列的に整理された状態で保存することができる。
【００６９】
（第５の実施形態）
第４の実施形態では、録音の回数にある程度制限がでるとともに、保存用メモリが大きくなった分、消費電流が大きくならざるを得ない。そこで、保存用メモリ及びＤ／Ａ変換器及びスピーカの機能を、外部機器に委託することが考えられる。第５の実施形態はこのような例で、外部機器としての携帯電話やパーソナルコンピュータの機能を活用することで、システムの更なる小型化と消費電流の削減を図っている。
【００７０】
図１５は第５の実施形態に係るＩＣボイスリピータのシステム図である。基本的には、第３と第４の実施形態の変形版と言える。本実施形態の録音部は第３の実施形態のボイスレコーダＩＣの録音システム４０に類似しており、再生システムは携帯電話６５やパーソナルコンピュータ６４を用いている。また、録音部のメモリは１つで充分で、録音ボタン３４押されたときの揮発性メモリ３２のメモリ内容が送信用データ記憶メモリ６２に一時記憶される。送信ボタン６６が押されたとき、送信用データ記憶メモリ６２に一時記憶されたデータは、無線送信部６３を経由して携帯電話６５やパーソナルコンピュータ６４に転送され、その後にまた新しい音が揮発性メモリ３２に書き込まれていく。再生は携帯電話６５やパーソナルコンピュータ６４の再生機能を利用して行なわれる。
【００７１】
無線送信部には、第３の実施形態で説明した bluetooth を使用することができる。但し、受信側のコンピュータや携帯電話にもbluetooth が搭載され、かつ電源が入っていなければならない。bluetooth を常時稼動しておき、ボイスリピータからパーソナルコンピュータ６４の電源投入指示を出して、電源投入後データを送信するようにしてもよい。bluetooth を搭載する、あるいはbluetooth搭載のメモリカードを装着できる携帯電話であれば、携帯電話への応用も容易である。
【００７２】
以上の動作フローを図１６に示した。内容は第３の実施形態の簡略版であるので、説明は省略する。また、第５の実施形態のＩＣボイスリピータのパッケージ例を図１７に示す。イメージとしてはネクタイピンあるいはヘアピンのような形を示したが、これに限られるものではない。中央にマイク２があり、録音ボタン３４が配置され、右側に送信ボタン６６が配置されている。
【００７３】
第５の実施形態に依れば、保存用メモリを外部機器のメモリを活用するので、録音の回数を大幅に増加することが可能になり、Ｄ／Ａ変換器やスピーカも外部機器のものを利用するので、更なるシステムの小型化と消費電流の削減が可能になる。
【００７４】
（第６の実施形態）
以上の実施形態は従来のＩＣボイスレコーダの拡張機能として用いられてもよい。図１８は第６の実施形態に係るＩＣボイスリピータの構成図で、従来のＩＣボイスレコーダに第４の実施形態のボイスリピータが付加されたものである。第４の実施形態の保存用メモリブロック５３の機能は、ＩＣボイスレコーダ用に備えられたＦＬＡＳＨ−ＥＥＰＲＯＭ９を用いて行なわれる。
【００７５】
このように構成することにより、ボイスレコーダＬＳＩに少しの回路を付け加えるだけで、過去に遡る録音機能を追加することができる。
【００７６】
なお、上記の実施形態を通じ、再生ボタンはボタンを押している間だけＯＮになる型のボタンである。また、録音ボタン、メモリセレクトボタン、送信ボタンは、ボタンを押した瞬間にＯＮのパルスが１個発生する型のボタンである。
【図面の簡単な説明】
【００７７】
【図１】第１の実施形態に係るＩＣボイスリピータのブロック図。
【図２】第１の実施形態に係るＩＣボイスリピータのパッケージの模式図で、（ａ）は前面図、（ｂ）は裏面図。
【図３】第１の実施形態に係るＩＣボイスリピータの動作フローチャート。
【図４】第１の実施形態に係るボイスレコーダＩＣチップのブロック図で、メモリにＳＲＡＭを用いた場合のブロック図。
【図５】第１の実施形態に係るボイスレコーダＩＣチップのブロック図で、メモリにＤＲＡＭを用いた場合のブロック図。
【図６】第２の実施形態に係るＩＣボイスリピータのブロック図。
【図７】第２の実施形態に係るＩＣボイスリピータのパッケージの模式図で、（ａ）は第１の例の前面図、（ｂ）は第１の例の裏面図、（ｃ）は第２の例の斜視図。
【図８】第２の実施形態に係るＩＣボイスリピータの動作フローチャート。
【図９】第３の実施形態に係るＩＣボイスリピータのブロック図。
【図１０】第３の実施形態に係るＩＣボイスリピータの動作フローチャート。
【図１１】第３の実施形態に係るＩＣボイスリピータのパッケージの模式図で、（ａ）は前面図、（ｂ）は裏面図。
【図１２】第４の実施形態に係るＩＣボイスリピータのブロック図。
【図１３】第４の実施形態に係るＩＣボイスリピータの動作フローチャート。
【図１４】第４の実施形態に係るＩＣボイスリピータのパッケージの摸式的な斜視図。
【図１５】第５の実施形態に係るＩＣボイスリピータのブロック図。
【図１６】第５の実施形態に係るＩＣボイスリピータの動作フローチャート。
【図１７】第５の実施形態に係るＩＣボイスリピータのパッケージの模式的な前面図。
【図１８】第６の実施形態に係るＩＣボイスリピータのブロック図。
【図１９】従来のＩＣボイスレコーダのブロック図。
【符号の説明】
【００７８】
２…マイクロフォン
３…Ａ／Ｄ変換器
４…データ圧縮回路
５…メモリコントローラ
６…データ解凍回路
７…Ｄ／Ａ変換器
８…スピーカ
１１…再生ボタン
１２…電池
２０、３０、５０、６０…ＩＣボイスリピータ
２１、３１、５１、６１…ボイスレコーダＩＣチップ
２２…ＩＣメモリ（ＳＲＡＭ，ＤＲＡＭ）
３２、５２…第１メモリ
３３、５３…第２メモリ
４０…ＩＣボイスリピータ録音部
４１…ＩＣボイスリピータ再生部
４２…ボイスレコーダ第１サブチップ
４３…ボイスレコーダ第２サブチップ
４４、６３…送信部
４５…受信部
６２…送信データ記憶メモリ
６４…パーソナルコンピュータ
６５…携帯電話
６６…送信ボタン
【図１】
2005181510.tif 000003
【図２】
2005181510.tif 000004
【図３】
2005181510.tif 000005
【図４】
2005181510.tif 000006
【図５】
2005181510.tif 000007
【図６】
2005181510.tif 000008
【図７】
2005181510.tif 000009
【図８】
2005181510.tif 000010
【図９】
2005181510.tif 000011
【図１０】
2005181510.tif 000012
【図１１】
2005181510.tif 000013
【図１２】
2005181510.tif 000014
【図１３】
2005181510.tif 000015
【図１４】
2005181510.tif 000016
【図１５】
2005181510.tif 000017
【図１６】
2005181510.tif 000018
【図１７】
2005181510.tif 000019
【図１８】
2005181510.tif 000020
【図１９】
2005181510.tif 000021